(57)【要約】【課題】立体的な盤面１１を効果的に用いたゲーム玩具を提供すること。【解決手段】コマ３０と、このコマ３０の移動位置を示す複数のマス目１２が盤面１１に設けられた盤本体１０と、を備えたゲーム玩具１であって、コマ３０は、マス目１２に固定される固定部３２を有し、盤本体１０は、表面が軟質部材により構成され、立体形状に形成されている。【選択図】図１
2018202022.tif 000002
【特許請求の範囲】
【請求項１】
コマと、前記コマの移動位置を示す複数のマス目が盤面に設けられた盤本体と、を備えたゲーム玩具であって、
前記コマは、前記マス目に固定される固定部を有し、
前記盤本体は、表面が軟質部材により構成され、立体形状に形成されるゲーム玩具。
【請求項２】
請求項１に記載されたゲーム玩具であって、
前記盤本体の中心を通る軸線周りに該盤本体を回転可能に支持する盤支持手段を有するゲーム玩具。
【請求項３】
請求項１又は請求項２に記載されたゲーム玩具であって、
前記立体形状は、球体形状であるゲーム玩具。
【請求項４】
請求項１から請求項３のいずれか一項に記載されたゲーム玩具であって、
前記盤本体は、内部に気体を注入するための気体注入部、及び内部の気体を排出するための気体排出部を有するゲーム玩具。
【請求項５】
請求項４に記載されたゲーム玩具であって、
前記気体注入部、及び前記気体排出部は、前記盤面に設けられた前記マス目に干渉しない位置に設けられているゲーム玩具。
【請求項６】
請求項４又は請求項５に記載されたゲーム玩具であって、
前記コマは、前記盤本体の内部へ注入された気体の圧力が一定値以上となったときに、前記固定部が前記マス目に固定可能となるゲーム玩具。
【請求項７】
請求項２から請求項６のいずれか一項に記載されたゲーム玩具であって、
前記盤本体は、前記盤面の前記マス目に干渉しない位置に設けられた第１係合部を有し、
前記盤支持手段は、台座部と、前記台座部に回転可能に取り付けられた回転支持部と、前記回転支持部に形成されて前記第１係合部に係合する第２係合部と、を有するゲーム玩具。
【請求項８】
請求項１から請求項７のいずれか一項に記載されたゲーム玩具であって、
前記コマは、前記固定部の周縁に引張片を有するゲーム玩具。
【請求項９】
請求項１から請求項８のいずれか一項に記載されたゲーム玩具であって、
指針によって指示される複数の指示領域が設けられたルーレット盤を有するルーレットを備え、
前記ルーレット盤の各指示領域内には、それぞれ複数の条件と、前記条件ごとに設定された前記コマが移動すべきマス目の数と、が記載され、
前記マス目には、少なくとも前記複数の条件のうちの一つが記載されている
ゲーム玩具。
【発明の詳細な説明】
【技術分野】
【０００１】
本発明は、盤面に設けられた複数のマス目に沿ってコマを移動させて遊ぶゲーム玩具に関する発明である。
【背景技術】
【０００２】
従来から、コマと、コマの移動位置を示す複数のマス目が盤面に設けられた盤本体と、を備え、サイコロやルーレット等を用いて無作為に決定された数に応じ、一定のルールに従ってマス目に沿ってコマを進めて遊ぶゲーム玩具が知られている。このゲーム玩具の盤本体は、一般的には平板状であるが、この盤本体が円筒形状を呈し、盤面が曲面に形成されたもの（例えば、特許文献１参照）もある。
【先行技術文献】
【特許文献】
【０００３】
【特許文献１】特開２００４-２９８５３６号公報
【発明の概要】
【発明が解決しようとする課題】
【０００４】
しかしながら、従来のゲーム玩具では、盤本体を円筒のような立体形状にしているものの、その立体的な形状を子供たちが遊びながら様々な知識を学ぶことができる知育玩具として活用するために十分に生かしているとは言い難い。
【０００５】
本発明は、上記問題に着目してなされたもので、立体的な盤面を効果的に用いたゲーム玩具を提供することを目的とする。
【課題を解決するための手段】
【０００６】
上記目的を達成するため、本発明は、コマと、前記コマの移動位置を示す複数のマス目が盤面に設けられた盤本体と、を備えたゲーム玩具である。
前記コマは、前記マス目に固定される固定部を有している。
前記盤本体は、表面が軟質部材により構成され、立体形状に形成されている。
【発明の効果】
【０００７】
この結果、立体的な盤面を効果的に用いたゲーム玩具を提供することができる。
【図面の簡単な説明】
【０００８】
【図１】実施例１のゲーム玩具の全体構成を概略的に示す斜視図である。
【図２Ａ】実施例１のゲーム玩具の盤本体を示す斜視図である。
【図２Ｂ】実施例１の盤本体の要部断面図である。
【図３】実施例１のゲーム玩具の台座を示す分解斜視図である。
【図４】実施例１のゲーム玩具のコマを示す分解斜視図である。
【図５】実施例１のゲーム玩具のルーレットを示す平面図である。
【図６】本発明のゲーム玩具の第１変形例を示す要部断面図である。
【図７】本発明のゲーム玩具の第２変形例を示す全体斜視図である。
【図８】本発明のゲーム玩具の第３変形例を示す全体斜視図である。
【発明を実施するための形態】
【０００９】
以下、本発明のゲーム玩具を実施するための形態を、図面に示す実施例１に基づいて説明する。
【００１０】
（実施例１）
まず、構成を説明する。
実施例１におけるゲーム玩具１は、無作為に決定された数に従って、盤面１１に設けられたマス目１２に沿ってコマ３０を移動させてゴールを目指すすごろくである。このゲーム玩具１は、図１に示すように、盤本体１０と、この盤本体１０を支持する台座２０（盤支持手段）と、盤本体１０の盤面（表面）１１に固定される複数のコマ３０と、無作為に数を決定するためのルーレット４０と、を備えている。
【００１１】
盤本体１０は、図２Ａに示すように、球体になる立体形状を呈し、盤面１１に複数のマス目１２及び世界地図１３が設けられている。
【００１２】
盤本体１０は、表面である盤面１１が例えばポリ塩化ビニルからなる軟質の合成樹脂シート（軟質部材）によって形成された袋体であり、盤面１１を縦割りに複数に等分割したアーモンド形状のシート片１０ａを、複数枚貼着して形成されている。この盤本体１０には、盤面１１に設けられたマス目１２に干渉しない位置に空気穴１０ｂが形成されている。空気穴１０ｂには、盤本体１０の内部に空気（気体）を注入し、またこの盤本体１０の内部から空気（気体）を排出するための空気栓１４が取り付けられている。そして、この盤本体１０は、空気栓１４を介して内部に空気を充填し、膨張させることで球体形状を維持している。
【００１３】
空気栓１４は、図２Ｂに示すように、先端が開放した有底筒状の給排気部１４ａと、この給排気部１４ａの先端に可撓性を有する連結バンド１４ｂを介して連結した栓部１４ｃと、給排気部１４ａの先端に形成された一対のリング部１４ｄ（第１係止部）と、を有している。
【００１４】
給排気部１４ａは、空気穴１０ｂの周縁部に熱や高周波によって溶着された取付部１４ｅを介して取り付けられている。また、この給排気部１４ａは、底部１４ｇの近傍に入れた切込部１４ｆによって、底部１４ｇが弁になっている。すなわち、盤本体１０に空気を注入するときには、例えば空圧によって給排気部１４ａの底部１４ｇを空気栓１４の内部に向かって変形させ、切込部１４ｆが開かれて給気が可能になる。また、盤本体１０から空気を排出するときには、取付部１４ｅを指で摘まんで絞ることで給排気部１４ａを変形させ、底部１４ｇが空気栓１４の内部に向かって変形することで切込部１４ｆが開かれて排気が可能になる。そして、空気の注入又は排出が終了した後には、栓部１４ｃを給排気部１４ａの先端開口に挿入し、給排気部１４ａを閉鎖する。
すなわち、この空気栓１４が、盤本体１０の内部に気体を注入するための気体注入部、及び盤本体１０の内部の気体を排出するための気体排出部を兼用している。
【００１５】
複数のマス目１２は、コマ３０の移動位置を示す領域であり、盤本体１０の盤面１１の全面に設けられている。各マス目１２には、様々なルール（例えば「一回休み」、「二マス進む」、「もう一回ルーレットを回す」、「￥１０００払う」等）や、国や地域名（例えば「日本」、「マカオ」等）、国旗、世界遺産等の情報が記載されている。また、マス目１２によっては、所定の移動条件（車、飛行機、船）を意味するマーク１２ａが記載されている。このマーク１２ａは、一つのマス目１２に二種類記載されている場合もある。なお、マーク１２ａが記載されていないマス目１２は、移動条件が「徒歩」であることを意味する。すなわち、複数のマス目１２には、いずれも少なくとも一つの移動条件（徒歩、車、飛行機、船）が記載されていることになる。
さらに、各マス目１２の間には、スタート位置に設定されたマス目１２（スタートマス目）から、ゴール位置となるマス目（ゴールマス目）までのコマ３０の移動方向を示す経路線１２ｂが記載されている。
【００１６】
世界地図１３は、盤本体１０を、空気栓１４が形成された位置を南極点とし、この空気栓１４の反対側を北極点とすると共に、台座２０に載置した際に中心を通る水平線を赤道とする地球に見立てた状態で、この盤本体１０の全面に描かれている。これにより、盤本体１０は、台座２０に載置した際、上半分が北半球となり、下半分が南半球になった地球儀を模したものとなる。なお、各地形の縮尺は任意に設定されている。また、世界地図１３には、マス目１２が重なって表示されている。
【００１７】
台座２０は、球体形状の盤本体１０を回転可能に支持する盤支持手段である。この台座２０により、盤本体１０は、この盤本体１０の中心及び空気栓１４を通る軸線Ｏを回転中心として支持される。この台座２０は、例えばＡＢＳ樹脂によって形成されており、図３に示すように、台座部２１と、台座部２１に回転可能に取り付けられた回転支持部２２と、回転支持部２２に形成されてリング部１４ｄに係合するフック部２３（第２係合部）と、を有している。
【００１８】
台座部２１は、四角錐体形状を呈し、平坦な載置面２１ａの中央に軸挿入穴２１ｂが形成されている。
【００１９】
回転支持部２２は、平坦な底面２２ａを有し、上方に開放した椀型形状を呈する支持体２２ｂと、この支持体２２ｂの底面２２ａに着脱可能に取り付けられる回転軸２２ｃと、を有している。
支持体２２ｂの底面２２ａは、中央位置に形成された貫通孔２２ｄと、この貫通孔２２ｄの周縁部に形成されて、回転軸２２ｃを固定する複数の固定部２２ｅと、を有している。なお、固定部２２ｅは、底面２２ａからカギ状に突出した板部材である。
回転軸２２ｃは、貫通孔２２ｄに差し込まれて底面２２ａから先端部が突出する軸本体２２ｆと、軸本体２２ｆの長さ方向中間部から径方向に突出した複数の固定プレート２２ｇと、を有している。この回転軸２２ｃは、軸本体２２ｆが貫通孔２２ｄに差し込まれた状態で回転させられ、固定プレート２２ｇが底面２２ａと固定部２２ｅとの間に入り込むことで、支持体２２ｂに係止される。
この回転支持部２２は、支持体２２ｂの底面２２ａが台座部２１の載置面２１ａに対向した状態で、台座部２１の載置面２１ａに載せられる。このとき、支持体２２ｂに係止されて底面２２ａから突出した回転軸２２ｃの先端部が、台座部２１の軸挿入穴２１ｂに差し込まれる。
【００２０】
フック部２３は、回転軸２２ｃの軸本体２２ｆの上部に突出形成されたカギ状部分である。このフック部２３は、ここでは回転軸２２ｃの軸線を挟んだ位置に一対形成されている。
【００２１】
コマ３０は、図４に示すように、プレート部３１と、このプレート部３１が着脱可能に接続される吸盤部３２（固定部）と、を有している。
【００２２】
プレート部３１は、例えばポリプロピレンによって形成された板状部材であり、吸盤部３２に接続される突起３１ａを有している。このプレート部３１には、表面に図示しないシールを添付したり、油性ペン等を用いて図柄や文字を書くことが可能になっている。このプレート部３１にシールを添付等することで、複数のコマ３０を識別することが可能になる。
【００２３】
吸盤部３２は、例えばポリ塩化ビニルによって形成された吸着部材であり、椀型形状を呈している。この吸盤部３２は、頂点から突出した円筒部３２ａと、周縁部に形成された複数の引張片３２ｂと、を有している。円筒部３２ａは、先端が開放しており、プレート部３１の突起３１ａが差し込まれる。また、引張片３２ｂは、プレーヤーが指先で摘まむことができる大きさに形成されている。
【００２４】
そして、この吸盤部３２は、盤本体１０の内部に注入された空気（気体）の圧力が一定値以上となり、盤面１１の撓み量が所定値未満のとき、盤面１１に押し付けられることで盤面１１との間が真空状態になる。すなわち、コマ３０は、盤本体１０の内部に注入された空気の圧力が一定値以上のときに吸盤部３２が盤面１１に吸着し、盤面１１に固定可能となる。なお、盤本体１０は、内部空気圧が一定値以下のときには、吸盤部３２を盤面１１に押し付けると大きく変形してしまい、吸盤部３２と盤面１１との間を適切に真空状態とすることができない。
【００２５】
ルーレット４０は、ゲーム玩具１のプレーヤーによって操作され、コマ３０が移動すべきマス目１２の数を無作為に決定する移動数決定手段である。このルーレット４０は、図５に示すように、ルーレット盤４１と、指針４２と、を有している。
【００２６】
ルーレット盤４１は、ボール紙等によって形成された板部材であり、表面に指針４２によって指示される複数の指示領域４３が設けられている。この複数の指示領域４３は、円環状に並んでいる。
各指示領域４３内には、複数の移動条件（徒歩、車、飛行機、船）を意味するマーク４４ａと、各移動条件ごとに設定された数字４４ｂと、が記載されている。なお、「マーク４４ａ」は、マス目１２に記載された所定の移動条件（徒歩、車、飛行機、船）を意味するマーク１２ａに対応している。また、「数字４４ｂ」は、コマ３０が移動すべきマス目１２の数を意味する。
【００２７】
また、各指示領域４３は、内部がさらに３個の小領域４３ａに区画されている。そして、各小領域４３ａには、マーク４４ａと、当該マーク４４ａが意味する移動条件に対して設定された数字４４ｂとが記載されている。
【００２８】
指針４２は、一端４２ａが先細り形状になった棒状部材であり、他端４２ｂがルーレット盤４１の中心位置に回動可能に取り付けられている。この指針４２は、他端４２ｂに形成された把持部４２ｃをプレーヤーがひねることで回転するようになっている。
【００２９】
次に、作用を説明する。
実施例１のゲーム玩具１を用いて遊ぶときには、まず、空気栓１４の給排気部１４ａを開放し、この給排気部１４ａを介して盤本体１０に空気を注入する。そして、盤本体１０が球体形状になり、内部の空気圧が一定値以上になるまで十分に膨張したら、栓部１４ｃによって給排気部１４ａを閉鎖する。ここで、「一定値」とは、コマ３０の吸盤部３２を押し付けたときに盤面１１が大きく変形せず、吸盤部３２を盤面１１に容易に吸着可能な値である。
【００３０】
続いて、台座２０の回転支持部２２から回転軸２２ｃを取り外し、この回転軸２２ｃに形成されたフック部２３を、空気栓１４の給排気部１４ａに形成されたリング部１４ｄに係合する。空気栓１４に回転軸２２ｃを係合したら、この回転軸２２ｃを回転支持部２２の支持体２２ｂに形成された貫通孔２２ｄに上方から差し込む。そして、盤本体１０ごと回転させて、回転軸２２ｃに形成された固定プレート２２ｇを、底面２２ａと固定部２２ｅとの間に入り込ませ、回転軸２２ｃを介して盤本体１０に支持体２２ｂを取り付ける。
【００３１】
ここで、支持体２２ｂが上方に開放した椀型形状を呈しているため、この支持体２２ｂと球体形状の盤本体１０の盤面１１との間に隙間なく取り付けることができる。
【００３２】
そして、支持体２２ｂの底面２２ａから突出した回転軸２２ｃの先端部を、台座部２１の軸挿入穴２１ｂに差し込みつつ、この支持体２２ｂを台座部２１の載置面２１ａに載置する。このとき、回転支持部２２は、回転軸２２ｃを中心に台座部２１に対して相対的に回転可能になっているため、盤本体１０は、回転支持部２２と共に台座部２１に対して回転する。すなわち、盤本体１０は、台座２０により、盤本体１０の中心を通る軸線Ｏ周りに回転可能に支持される。
【００３３】
盤本体１０を台座２０にセットしたら、複数のプレーヤーは、それぞれ自分のコマ３０を決め、盤面１１に設けられた複数のマス目１２のうちスタート位置に設定されたマス目１２（スタートマス目）に各々のコマ３０を固定する。
【００３４】
ここで、予め各コマ３０のプレート部３１にはシールの貼付等を行い、識別可能とする。また、コマ３０は、吸盤部３２を盤面１１に押し付けて圧縮し、この吸盤部３２と盤面１１との間の空気が押し出されて真空状態になり、吸盤部３２が盤面１１に吸着することで盤面１１に固定される。
このとき、盤本体１０の内部に注入された空気の圧力が一定値以上であるので、吸盤部３２を盤面１１に押し付けてもこの盤本体１０が大きく変形することがない。これにより、複数のコマ３０を盤面１１に容易に固定することができる。
【００３５】
次に、複数のプレーヤーは、順にルーレット４０を操作する。そして、指針４２によって指示された指示領域４３に記載されている数字４４ｂの数のマス目１２だけ、コマ３０を移動させていく。
なお、ルーレット４０の操作は、プレーヤーが指針４２の把持部４２ｃをつまんだ状態でひねって回転させることで行う。
【００３６】
このとき、コマ３０が停止しているマス目１２に移動条件を示すマーク１２ａが記載されていないときには、指針４２に指示された指示領域４３内において、「徒歩」を意味するマーク４４ａのある小領域４３ａに記載された数字４４ｂに従ってコマ３０を進める。また、コマ３０が停止しているマス目１２に移動条件（例えば「飛行機」）を意味するマーク１２ａが記載されているときには、指針４２に指示された指示領域４３内において、このマーク１２ａが意味する移動条件（飛行機）と同じマーク４４ａのある小領域４３ａに記載された数字４４ｂに従ってコマ３０を進める。
【００３７】
なお、マス目１２に記載されたマーク１２ａと同じマーク４４ａに対応した数字４４ｂに応じてコマ３０を進めるには、所定の約束（例えば、疑似貨幣を支払う等）を履行する必要があり、この約束を履行できない場合には、「徒歩」を意味するマーク４４ａに対応した数字４４ｂに従ってコマ３０を進める、等のルールを設定してもよい。
【００３８】
そして、複数のプレーヤーが順にコマ３０を進めていき、最終的にゴール位置に設定されたマス目１２（ゴールマス目）までコマ３０を移動させたら上がり（ゲーム終了）とする。
【００３９】
このように、実施例１のゲーム玩具１では、複数のプレーヤーがルーレット４０によって無作為に決定された数だけコマ３０を進めていくが、このとき、コマ３０を、経路線１２ｂに沿ってマス目１２を辿って移動させることで、コマ３０は世界地図１３上の各地点を移動していく。そのため、プレーヤーは、世界各地の名称や位置等を自然と記憶していくことができる。特に、マス目１２に記載された情報を、当該マス目１２が設けられている世界地図１３上の地点に関する情報とすることで、世界各地の位置と情報とを関連付けて記憶することが可能になり、すごろく遊びをしながら世界各国の知識を学ぶことができ、知育性を向上させることができる。
【００４０】
また、この実施例１では、軟質部材である軟質の合成樹脂シートによって構成された盤本体１０が球体形状に形成されている。そのため、盤面１１を容易に立体的にすることができ、立体的な盤面１１を効果的に用いたゲーム玩具１を提供することができる。
【００４１】
そして、実施例１の盤本体１０は球体形状である。そのため、盤面１１の全面にマス目１２を設け、コマ３０の移動位置に応じて盤本体１０を回転させながら遊ぶことができる。そのため、立体的な盤面１１をさらに効果的に用いたゲーム玩具１とすることができる。
【００４２】
しかも、この実施例１では、盤本体１０の表面である盤面１１に世界地図１３が描かれており、盤本体１０が地球儀を模したものとなっている。そのため、すごろく遊びをしながら世界各国の知識を学ぶことができ、立体的な盤面１１を知育玩具として効果的に用いて活用することができる。
【００４３】
また、この実施例１では、盤本体１０が、台座２０によって盤本体１０の中心を通る軸線Ｏ周りに回転可能に支持されている。すなわち、盤本体１０は、図１に矢印で示すように、軸線Ｏを中心として回転する。
そのため、コマ３０を移動させる際、盤本体１０を回転させることで、プレーヤーの正面に自分が選択したコマ３０を移動させることができ、プレーヤーが移動することなく容易に遊ぶことができる。また、盤本体１０が回転することで、この盤本体１０をさらに地球儀のように見立てることが可能となる。
【００４４】
また、実施例１では、盤本体１０に形成した空気栓１４に形成したリング部１４ｄに、回転軸２２ｃに形成したフック部２３が係合する。これにより、台座部２１に対して回転可能な回転支持部２２に盤本体１０を取り付けることができる。そのため、簡易な構造で盤本体１０を回転可能に支持することができる。
【００４５】
また、盤本体１０を単に回転支持部２２に載置した場合と異なり、盤本体１０の回転時に、この盤本体１０が回転支持部２２から転がり落ちることがない。そのため、盤本体１０を安定して回転させることができる。
【００４６】
しかも、リング部１４ｄを空気栓１４に形成したことで、空気栓１４が台座２０の回転支持部２２に取り囲まれることになる。そのため、空気栓１４が外部から目視することができなくなり、盤本体１０の外観品質をさらに向上させることができる。
【００４７】
さらに、この実施例１では、回転支持部２２が、上方に開放した椀型形状の支持体２２ｂと、この支持体２２ｂに着脱可能に固定されると共にフック部２３が形成された回転軸２２ｃと、を有している。これにより、回転軸２２ｃを予め盤本体１０に係合させ、その後、支持体２２ｂに回転軸２２ｃを固定することで、盤本体１０に回転支持部２２を取り付けることができる。そのため、盤本体１０と回転支持部２２との取り付けを行いやすくすることができる。また、この盤本体１０と台座２０との接続構造（リング部１４ｄ及びフック部２３）を、支持体２２ｂの内側に配置することが可能となり、外観の品質向上を図ることができる。
【００４８】
そして、この実施例１のゲーム玩具１では、指針４２によって指示される複数の指示領域４３が設けられたルーレット盤４１を有するルーレット４０を備えている。そして、ルーレット盤４１の各指示領域４３内には、それぞれ複数の移動条件を意味するマーク４４ａと、移動条件ごとに設定されたコマ３０が移動すべきマス目１２の数を示す数字４４ｂと、が対応付けられて記載されている。一方、盤面１１に設けられたマス目１２には、マーク１２ａが記載されたり、このマーク１２ａが記載されないことで、少なくとも複数の移動条件のうちの一つが記載されたことになっている。
【００４９】
そのため、移動条件ごとにコマ３０が移動するマス目１２の数は異なるものの、一つのルーレット４０によって、移動条件に応じたコマ３０の移動数を無作為に決定することができる。これにより、移動条件ごとに異なるルーレットを用いる必要がなく、ルーレット４０の数が増やすことなく、遊び方の工夫をすることができる。
【００５０】
さらに、実施例１では、球体形状の盤本体１０が、軟質の合成樹脂シートによって形成された袋体によって形成されている。そして、この盤本体１０は、内部に空気を注入するための空気栓１４が設けられ、空気を充填して膨張させることで球体形状を維持するものとなっている。
そのため、盤本体１０を大きな立体（球体、ここでは地球儀）にすることが簡単且つ安価に実現することができる。さらに、この盤本体１０を使用しないときには、空気栓１４を介して盤本体１０から空気を排出させて縮小することができる。しかも、軟質の合成樹脂シート製であるため、折り畳んで収納することが可能である。これにより、大きな収納スペースを不要とすることができる。
【００５１】
しかも、空気栓１４は、盤面１１に設けられた複数のマス目１２に干渉しない位置に形成されている。そのため、盤面１１に固定したコマ３０を移動する途中で空気栓１４と干渉することがなく、遊戯中に空気栓１４が邪魔になることを防止できる。
【００５２】
また、コマ３０は、吸盤部３２を盤面１１に吸着することで固定されている。そのため、遊戯中にコマ３０の位置がずれてしまうことがない。さらに、このコマ３０の吸盤部３２は、周縁部に引張片３２ｂが形成されている。そのため、盤面１１に固定されたコマ３０を移動する際、この引張片３２ｂを摘まんで盤面１１から離れる方向に持ち上げることで、吸盤部３２を盤面１１から容易に取り外すことができる。特に、実施例１では、この引張片３２ｂが吸盤部３２の周縁部に複数形成されているため、吸盤部３２の張り付け方向に拘らず、容易に取り外すことができる。
【００５３】
次に、効果を説明する。
実施例１のゲーム玩具１にあっては、下記に列挙する効果を得ることができる。
【００５４】
(1) コマ３０と、前記コマ３０の移動位置を示す複数のマス目１２が盤面１１に設けられた盤本体１０と、を備えたゲーム玩具１であって、
前記コマ３０は、前記マス目１２に固定される固定部（吸盤部３２）を有し、
前記盤本体１０は、表面が軟質部材（軟質の合成樹脂シート）により構成され、立体形状に形成される構成とした。
これにより、立体的な盤面１１を効果的に用いたゲーム玩具１を提供することができる。
【００５５】
(2) 前記盤本体１０の中心を通る軸線Ｏ周りに該盤本体１０を回転可能に支持する盤支持手段（台座２０）を有する構成とした。
これにより、(1)の効果に加え、プレーヤーが移動することなく容易に遊ぶことができる。
【００５６】
(3) 前記立体形状は、球体形状である構成とした。
これにより、(1)又は(2)の効果に加え、盤面１１の全面にマス目１２を設け、コマ３０の移動方向に応じて盤本体１０を回転させながら遊ぶことが可能となり、立体的な盤面１１を効果的に用いたゲーム玩具１とすることができる。
【００５７】
(4) 前記盤本体１０は、内部に気体（空気）を注入するための気体注入部（空気栓１４）、及び内部の気体（空気）を排出するための気体排出部（空気栓１４）を有する構成とした。
これにより、(1)〜(3)のいずれかの効果に加え、盤本体１０を容易に立体化することができ、また不使用時には盤本体１０を縮小することができる。
【００５８】
(5) 前記気体注入部（空気栓１４）、及び前記気体排出部（空気栓１４）は、前記盤面１１に設けられた前記マス目１２に干渉しない位置に設けられている構成とした。
これにより、(4)の効果に加え、盤面１１に固定したコマ３０を移動する途中で空気栓１４と干渉することがなく、遊戯中に空気栓１４が邪魔になることを防止できる。
【００５９】
(6) 前記コマ３０は、前記盤本体１０の内部へ注入された気体（空気）の圧力が一定値以上となったときに、前記固定部（吸盤部３２）が前記マス目１２に固定可能となる構成とした。
これにより、(4)又は(5)の効果に加え、複数のコマ３０を盤面１１に容易に固定することができる。
【００６０】
(7) 前記盤本体１０は、前記盤面１１の前記マス目１２に干渉しない位置に設けられた第１係合部（リング部１４ｄ）を有し、
前記盤支持手段（台座２０）は、台座部２１と、前記台座部２１に回転可能に取り付けられた回転支持部２２と、前記回転支持部２２に形成されて前記第１係合部（リング部１４ｄ）に係合する第２係合部（フック部２３）と、を有する構成とした。
これにより、(2)〜(6)のいずれかの効果に加え、簡易な構造で盤本体１０を安定して回転させることができる。
【００６１】
(8) 前記コマ３０は、前記固定部（吸盤部３２）の周縁に引張片３２ｂを有する構成とした。
これにより、(1)〜(7)のいずれかの効果に加え、吸盤部32を容易に盤面１１から取り外すことができる。
【００６２】
(9) 指針４２によって指示される複数の指示領域４３が設けられたルーレット盤４１を有するルーレット４０を備え、
前記ルーレット盤４１の各指示領域４３内には、それぞれ複数の条件（マーク４４ａ）と、前記条件（マーク４４ａ）ごとに設定された前記コマ３０が移動すべきマス目１２の数（数字４４ｂ）と、が記載され、
前記マス目１２には、少なくとも前記複数の条件のうちの一つが記載されている構成とした。
これにより、(1)〜(8)のいずれかの効果に加え、ルーレット４０の数が増やすことなく、遊び方の工夫をすることができる。
【００６３】
以上、本発明のゲーム玩具を実施例１に基づいて説明してきたが、具体的な構成については、この実施例に限られるものではなく、特許請求の範囲の各請求項に係る発明の要旨を逸脱しない限り、設計の変更や追加等は許容される。
【００６４】
実施例１では、コマ３０の固定部として、吸盤部３２を設けた例を示したが、これに限らない。例えば、固定部を、何度も貼ってはがせる弱粘着シートによって構成してもよいし、盤本体１０が磁性を有する材質（例えば鉄等）で形成された場合には、磁石によって固定部を構成してもよい。さらに、盤本体１０に多数の穴を形成し、この穴に差し込むピンを固定部としてもよい。
【００６５】
また、実施例１では、空気栓１４によって気体注入部及び気体排出部を兼用する例を示した。しかしながら、これに限らず、盤本体１０に空気穴を複数設け、各空気穴に対し、盤本体１０の内部に気体を注入する栓構造と、盤本体１０の内部の気体を排出する栓構造を設けてもよい。つまり、気体注入部と気体排出部とを、盤本体１０の異なる位置に形成してもよい。
【００６６】
さらに、実施例１では、盤本体１０の内部に注入される気体として空気を用いる例を示したが、これに限らない。空気以外の気体であっても、盤本体１０を膨張可能であれば適用することができる。
【００６７】
また、実施例１では、空気栓１４に第１係止部であるリング部１４ｄを形成した例を示したが、これに限らない。例えば、空気栓１４とは異なる位置の盤面１１上に、第１係止部（リング部１４ｄ）を形成してもよい。
【００６８】
さらに、盤本体１０に形成する第１係止部をフック形状とし、台座２０（盤支持部材）に形成する第２係合部をリング形状としてもよい。すなわち、第１係合部と第２係合部の形状としては、実施例１に開示のものに限らない。しかも、リング形状とフック形状の組み合わせも限らず、例えば、フック形状同士であってもよいし、凹形状と凸形状との組み合わせであってもよい。
【００６９】
さらに、図６に示すように、盤本体１０に予め円錐状の支柱部５０を取り付ける一方、盤支持手段として、この支柱部５０を支持する台座５１を用いてもよい。この台座５１は、平坦な支持面５１ａと、支持面５１ａから立設した中空の円錐体型状の支柱支持部５２と、を有している。支柱支持部５２の上面５２ａの中心位置には、支柱部５０の先端部５０ａを差し込む穴５２ｂが形成されている。また、支持面５１ａは、支柱支持部５２によって囲まれ、穴５２ｂに対向する位置に、ボール５３が設けられている。また、支柱部５０の先端部５０ａには、ボール５３に沿う円弧面５０ｂが形成されている。
【００７０】
この場合であっても、盤本体１０を、この盤本体１０の中心を通る軸線周りに、安定して回転可能に支持することができる。
【００７１】
そして、実施例１では、ルーレット４０を用いてコマ３０が移動するマス目１２の数を決定する例を示したが、これに限らず、例えばサイコロを用いてもよい。なお、サイコロを用いる場合であっても、サイコロの各面を複数の小領域４３ａに区分けし、それぞれの小領域４３ａにマーク４４ａと、当該マーク４４ａが意味する移動条件に対して設定された一つの数字４４ｂとを記載することで、実施例１のルーレット４０と同様に、コマ３０が停止したマス目１２に記載されている移動手段に応じた移動数を決定することができる。
【００７２】
また、実施例１では、指示領域４３内を３個の小領域４３ａに区画し、各小領域４３ａ内に一つのマーク４４ａと、一つの数字４４ｂを記載することで、マーク４４ａと数字４４ｂとの対応関係を明確にする例を示した。しかしながら、これに限らず、例えば対応関係にあるマーク４４ａと数字４４ｂを同色系で表示したり、同色系の縁取りを設けたりすることで、対応関係を明確にしてもよい。
【００７３】
さらに、実施例１では、盤本体１０を台座２０に載置する例を示したが、これに限らない。例えば、図７に示す盤支持手段１００を用いて盤本体１０を吊り下げ支持してもよい。この盤支持手段１００は、台座部１０１と、台座部１０１から立設したアーム部１０２と、アーム部１０２の先端に設けられたフック１０３と、を有している。ここで、アーム部１０２は、盤本体１０と干渉しないように湾曲している。また、フック１０３は、ベアリング１０４を介してアーム部１０２に接続しており、アーム部１０２に対して回転可能になっている。
一方、盤本体１０には、アーム部１０２に係合するフック穴１５ａが形成された係止部１５を設ける。この係止部１５を世界地図１３上の北極点に設けることで、盤本体１０は、北極点を上方に向け、南極点を下方に向けた状態で吊り下げ支持される。
【００７４】
さらに、この図７に示す盤支持手段１００では、台座部１０１の上面１０１ａにルーレット４０を載置することが可能となる。
【００７５】
また、実施例１では、北極点と南極点を通る軸線Ｏが垂直になるように盤本体１０を支持する例を示したが、これに限らない。例えば、図８に示す盤支持手段２００を用いて、北極点と南極点を通る軸線Ｏが、地軸と同程度の傾きになるように支持してもよい。
【００７６】
さらに、図８に示すように、盤本体１０の盤面１１に複数の指示領域４３を記載し、盤支持手段２００のアーム部２０２の先端２０２ａに指針２０３を設け、盤本体１０をルーレットとして使用してもよい。
【符号の説明】
【００７７】
１  ゲーム玩具
１０  盤本体
１１  盤面
１２  マス目
１２ａ  マーク
１３  世界地図
１４  空気栓
１４ｄ  リング部（第１係合部）
２０  台座（盤支持手段）
２１  台座部
２２  回転支持部
２２ｃ  回転軸
２３  フック部（第２係合部）
３０  コマ
３２  吸盤部（固定部）
４０  ルーレット
４１  ルーレット盤
４２  指針
４３  指示領域
４４ａ  マーク
４４ｂ  数字
【図１】
2018202022.tif 000003
【図２Ａ】
2018202022.tif 000004
【図２Ｂ】
2018202022.tif 000005
【図３】
2018202022.tif 000006
【図４】
2018202022.tif 000007
【図５】
2018202022.tif 000008
【図６】
2018202022.tif 000009
【図７】
2018202022.tif 000010
【図８】
2018202022.tif 000011